(57)【要約】      （修正有）【課題】閉じた状態の蓋部材のロック及びロック解除の操作性に優れた飲料容器の栓体を提供する。【解決手段】容器本体ＣＢに装着される口栓部材１０と、口栓部材１０に開閉可能に取り付けられた蓋部材２０と、蓋部材２０を開閉させる開閉手段３０と、蓋部材２０を閉状態にロックするロック手段４０とを備える。開閉手段３０は、蓋部材２０に設けられた係止爪３１と、係止爪３１に係合して蓋部材２０を全閉位置に位置決めし、口栓部材１０に取り付けられた開閉操作部材３２とを有する。ロック手段４０は、上下方向に回動可能に蓋部材２０の垂下部２３に取り付けられた、下方に突出する突起４２及び前方に突出する操作突起４３を有するロック操作部材４１と、ロック操作部材４１の突起４２に係合する、開閉操作部材３２に形成された係合部４４とを備えている。【選択図】図６
0003177234.tif 000002
【実用新案登録請求の範囲】
【請求項１】
容器本体に装着される口栓部材と、
前記口栓部材にヒンジを介して開閉可能に取り付けられた蓋部材と、
前記蓋部材を開閉させる開閉手段と、
前記蓋部材を閉状態にロックするロック手段とを備え、
前記開閉手段は、前記蓋部材に設けられた係止部と、前記蓋部材を閉じることによって前記係止部に係合して前記蓋部材を全閉位置に位置決めする、前記係止部に対する係合を解除可能に前記口栓部材に取り付けられた開閉操作部材とを有し、
前記ロック手段は、ロック解除位置とロック位置との間で上下方向に回動可能に前記蓋部材に取り付けられた、下方に突出する突起を有するロック操作部材と、前記蓋部材を閉じた状態でロック位置に回動させた前記ロック操作部材の前記突起に係合して前記開閉操作部材による前記係止部に対する係合解除操作を不能とする、前記開閉操作部材に形成された係合部とを有していることを特徴とする飲料容器の栓体。
【請求項２】
前記口栓部材には、上方に突出した筒状の口部が形成されており、
前記蓋部材には、閉じたときに前記口部の開口端を閉塞するパッキンが設けられている請求項１または２に記載の飲料容器の栓体。
【考案の詳細な説明】
【技術分野】
【０００１】
この考案は、携帯用魔法瓶や水筒等の携帯用飲料容器に採用されている、容器本体に装着される口栓部材にヒンジを介して蓋部材が開閉可能に取り付けられた、直飲みタイプの飲料容器の栓体に関する。
【背景技術】
【０００２】
この種の栓体としては、例えば、特開２０１１−０９３５４４号公報に開示されたものがある。この栓体は、図１２（ａ）、（ｂ）に示すように、容器本体５１に装着される口栓部材５２と、この口栓部材５２の後部にヒンジを介して片開き可能に取り付けられた蓋部材５３と、この蓋部材５３を開閉させる開閉手段５４と、蓋部材５３を閉状態にロックするロック手段５５とを備えている。
【０００３】
前記開閉手段５４は、蓋部材５３に設けられた係止部５４ａと、蓋部材５３を閉じることによって係止部５４ａに係合して蓋部材５３を全閉位置に位置決めする開閉操作部材５４ｂとから構成されており、開閉操作部材５４ｂは、係止部５４ａに対する係合を解除することができるように、口栓部材５２に揺動自在に取り付けられている。
【０００４】
前記ロック手段５５は、ロック位置とロック解除位置との間で上下方向にスライド可能に蓋部材５３に取り付けられた、下方に突出する突起を有するロック操作部材５５ａと、蓋部材５３を閉じた状態でロック位置にスライドさせたロック操作部材５５ａの突起に係合して開閉操作部材５４ｂによる係止部５４ａに対する係合解除操作を不能とする、開閉操作部材５４ｂに形成された係合部５５ｂとから構成されており、ロック操作部材５５ａを上下方向にスライドさせることで、蓋部材５３を閉状態にロックしたり、そのロックを解除したりすることができるようになっている。
【先行技術文献】
【特許文献】
【０００５】
【特許文献１】特開２０１１−０９３５４４号公報
【考案の概要】
【考案が解決しようとする課題】
【０００６】
しかしながら、上述した栓体では、閉じた状態の蓋部材５３をロックしたり、そのロックを解除したりするには、ロック操作部材５５ａを上下方向にスライドさせなければならず、そのスライド抵抗が一般的に大きいので、操作性が悪いといった問題がある。
【０００７】
そこで、この考案の課題は、閉じた状態の蓋部材のロック及びロック解除の操作性に優れた飲料容器の栓体を提供することにある。
【課題を解決するための手段】
【０００８】
上記の課題を解決するため、請求項１に係る考案は、容器本体に装着される口栓部材と、前記口栓部材にヒンジを介して開閉可能に取り付けられた蓋部材と、前記蓋部材を開閉させる開閉手段と、前記蓋部材を閉状態にロックするロック手段とを備え、前記開閉手段は、前記蓋部材に設けられた係止部と、前記蓋部材を閉じることによって前記係止部に係合して前記蓋部材を全閉位置に位置決めする、前記係止部に対する係合を解除可能に前記口栓部材に取り付けられた開閉操作部材とを有し、前記ロック手段は、ロック解除位置とロック位置との間で上下方向に回動可能に前記蓋部材に取り付けられた、下方に突出する突起を有するロック操作部材と、前記蓋部材を閉じた状態でロック位置に回動させた前記ロック操作部材の前記突起に係合して前記開閉操作部材による前記係止部に対する係合解除操作を不能とする、前記開閉操作部材に形成された係合部とを有していることを特徴とする飲料容器の栓体を提供するものである。
【０００９】
また、請求項２に係る考案は、請求項１に係る考案において、前記口栓部材には、上方に突出した筒状の口部が形成されており、前記蓋部材には、閉じたときに前記口部の開口端を閉塞するパッキンが設けられていることを特徴としている。
【考案の効果】
【００１０】
以上のように、請求項１に係る考案の飲料容器の栓体は、ロック手段を構成しているロック操作部材をロック位置とロック解除位置との間で上下方向に回動させるようになっているので、上下方向にスライドさせる場合に比べて操作抵抗が小さく、しかも、斜め上方に押し上げることで、ロック操作部材を上方側に移動させることができるので、ロック操作部材の操作性がよい。
【００１１】
また、請求項２に係る考案の飲料容器の栓体では、上方に突出した筒状の口部が口栓部材に形成されているので、蓋部材を開いて口部に口を付けて容器本体内の飲料を直接飲むことができ、使い勝手がよい。
【図面の簡単な説明】
【００１２】
【図１】（ａ）はこの考案に係る栓体の一実施形態が容器本体に装着された飲料容器を示す部分正面図、（ｂ）は同上の飲料容器を示す部分側面図である。
【図２】同上の栓体を示す斜視図である。
【図３】同上の栓体における蓋部材を開いた状態を示す斜視図である。
【図４】同上の栓体における蓋部材を開いた状態を示す平面図である。
【図５】同上の栓体を示す分解斜視図である。
【図６】同上の栓体における閉じた蓋部材のロックを解除した状態を示す断面図である。
【図７】同上の栓体における開閉手段による蓋部材の位置決めを解除した状態を示す断面図である。
【図８】同上の栓体における蓋部材を開いた状態を示す断面図である。
【図９】同上の栓体における閉じた蓋部材をロックした状態を示す断面図である。
【図１０】（ａ）は同上の栓体を構成しているロック手段のロック状態を示す斜視図、（ｂ）は同上のロック手段のロック解除状態を示す斜視図である。
【図１１】（ａ）、（ｂ）はロック操作部材の回動状態を示す斜視図である。
【図１２】（ａ）は従来の栓体における閉じた蓋部材をロックした状態を示す断面図、（ｂ）は同上の閉じた蓋部材のロックを解除した状態を示す断面図である。
【考案を実施するための形態】
【００１３】
以下、実施の形態について図面を参照して説明する。図１（ａ）、（ｂ）は、この考案に係る栓体１が容器本体ＣＢに装着された飲料容器の上部を示している。
【００１４】
前記栓体１は、図２〜図５に示すように、容器本体ＣＢに装着される口栓部材１０と、この口栓部材１０にヒンジ１ａを介して開閉可能に取り付けられた蓋部材２０と、この蓋部材２０を開閉させる開閉手段３０と、蓋部材２０を閉状態にロックするロック手段４０とを備えており、蓋部材２０はヒンジ１ａ部分に取り付けられた一対のねじりバネ１ｂによって、常時、開方向に付勢されている。
【００１５】
前記口栓部材１０は、同図に示すように、容器本体ＣＢの小径の口部に螺合されるベース部材１１と、このベース部材１１の内部に嵌着され、容器本体ＣＢの口部上端が嵌合するリング状のパッキン１３とから構成されており、ベース部材１１は、前方側で立ち上がる、飲み口としても機能する筒状の注出口部１２を有している。
【００１６】
前記蓋部材２０は、同図に示すように、楕円形状の天板の周縁部に周壁が連設された蓋本体２１と、この蓋本体２１の天板の内面側に固着された閉塞部２２と、この閉塞部２２の前端縁に連設された垂下部２３と、閉塞部２２の下面に取り付けられたパッキン２４とを備えており、蓋部材２０を閉じたときに閉塞部２２に取り付けられたパッキン２４が口栓部材１０の注出口部１２を密閉するようになっている。
【００１７】
前記開閉手段３０は、蓋部材２０における蓋本体２１の周壁の前面側に突出する左右一対の区画壁２１ａによって挟まれた収容部の下端部に形成された係止爪３１と、蓋本体２１の区画壁２１ａに対応するように、口栓部材１０におけるベース部材１１の前面側に突出する区画壁１１ａによって上部を除く三方が囲われた収容部内で、区画壁１１ａに揺動自在に軸支された、係止爪３１に係合可能な係合凹部３３を上部に有する開閉操作部材３２と、ベース部材１１の収容部と開閉操作部材３２との間に配設された、開閉操作部材３２における揺動軸３４よりも下側部分を外側（前方側）に付勢するコイルバネ３５とを備えており、開閉操作部材３２は、その係合凹部３３が形成された上部がベース部材１１の上方側に張り出している。なお、蓋本体２１に形成された左右一対の区画壁２１ａによって挟まれた領域は、その下端部を除いて、蓋本体２１の天板及び左右一対の区画壁２１ａに連設された前面カバー部２１ｂによって覆われている。
【００１８】
従って、開いた状態の蓋部材２０を閉じると、口栓部材１０に取り付けた開閉操作部材３２の係合凹部３３よりも上端側が、蓋部材２０に形成された係止爪３１に接触することによって、開閉操作部材３２の上端部が外側に押し広げられながら係止爪３１を乗り越えて係合凹部３３が係止爪３１に係合し、これによって蓋部材２０が全閉位置に位置決めされるようになっている（図６参照）。
【００１９】
また、蓋部材２０が全閉位置に位置決めされた状態で、図７に示すように、コイルバネ３５の付勢力に抗して開閉操作部材３２の下部を押し込むと、係止爪３１に対する係合凹部３３の係合が解除されるので、ねじりバネ１ｂの付勢力によって、蓋部材２０が全開位置まで開くようになっている（図８参照）。
【００２０】
前記ロック手段４０は、図２〜図５、図１０（ａ）、（ｂ）及び図１１（ａ）、（ｂ）に示すように、蓋本体２１の左右一対の区画壁２１ａによって挟まれた収容部における係止爪３１の上側において、下位のロック位置と上位のロック解除位置との間で上下方向に回動可能に、蓋部材２０の垂下部２３に取り付けられた、下方に突出する突起４２及び前方に突出する操作突起４３を有するロック操作部材４１と、蓋部材２０を全閉にした状態、即ち、開閉操作部材３２の係合凹部３３が係止爪３１に係合した状態で、ロック操作部材４１の突起４２に係合可能な、開閉操作部材３２の上端部に形成された係合部４４とを備えている。
【００２１】
前記操作突起４３は、蓋本体２１に形成された左右一対の区画壁２１ａによって挟まれた領域を覆っている前面カバー部２１ｂに形成された穴ｈから僅かに飛び出した状態となっており、この穴ｈによって、操作突起４３の移動範囲が設定され、これに伴って、ロック操作部材４１を、下位のロック位置と上位のロック解除位置との間で回動させることができるようになっている。
【００２２】
従って、蓋部材２０が全閉位置に位置決めされた状態で、操作突起４３を斜め下方に押し下げることによって、ロック操作部材４１をロック位置に回動させると、図９及び図１０（ａ）に示すように、突起４２が開閉操作部材３２の係合部４４に係合して開閉操作部材３２の揺動が規制され、逆に、操作突起４３を斜め上方に押し上げることによって、ロック操作部材４１をロック解除位置に回動させると、図６及び図１０（ｂ）に示すように、係合部４３に対する突起４２の係合が解除され、開閉操作部材３２の揺動、即ち、開閉操作が許容されるようになっている。
【００２３】
以上のように、この栓体１では、ロック手段４０を構成しているロック操作部材４１をロック位置とロック解除位置との間で上下方向に回動させるようになっているので、上下方向にスライドさせる場合に比べて操作抵抗が小さく、しかも、操作突起４３を斜め上方に押し上げることで、ロック操作部材４１を上方側に移動させることができるので、ロック操作部材４１の操作性がよい。
【００２４】
また、この栓体１は、口栓部材１０が上方に立ち上がる筒状の注出口部１２を有しているので、蓋部材２０を開いて注出口部１２に口を付けて容器本体ＣＢ内の飲料を直接飲むことができ、使い勝手がよい。
【産業上の利用可能性】
【００２５】
本考案は、携帯用魔法瓶や水筒等の携帯用飲料容器等の飲料容器の栓体として利用することができる。
【符号の説明】
【００２６】
１  栓体
１ａ  ヒンジ
１ｂ  ねじりバネ
１０  口栓部材
１１  ベース部材
１１ａ  区画壁
１２  注出口部
１３  パッキン
２０  蓋部材
２１  蓋本体
２１ａ  区画壁
２１ｂ  前面カバー部
２２  閉塞部
２３  垂下部
２４  パッキン
３０  開閉手段
３１  係止爪（係止部）
３２  開閉操作部材
３３  係合凹部
３４  揺動軸
３５  コイルバネ
４０  ロック手段
４１  ロック操作部材
４２  突起
４３  操作突起
４４  係合部
ＣＢ  容器本体
ｈ  穴
【図１】
0003177234.tif 000003
【図２】
0003177234.tif 000004
【図３】
0003177234.tif 000005
【図４】
0003177234.tif 000006
【図５】
0003177234.tif 000007
【図６】
0003177234.tif 000008
【図７】
0003177234.tif 000009
【図８】
0003177234.tif 000010
【図９】
0003177234.tif 000011
【図１０】
0003177234.tif 000012
【図１１】
0003177234.tif 000013
【図１２】
0003177234.tif 000014
【手続補正書】
【提出日】平成24年5月25日(2012.5.25)
【手続補正１】
【補正対象書類名】実用新案登録請求の範囲
【補正対象項目名】全文
【補正方法】変更
【補正の内容】
【実用新案登録請求の範囲】
【請求項１】
容器本体に装着される口栓部材と、
前記口栓部材にヒンジを介して開閉可能に取り付けられた蓋部材と、
前記蓋部材を開閉させる開閉手段と、
前記蓋部材を閉状態にロックするロック手段とを備え、
前記開閉手段は、前記蓋部材に設けられた係止部と、前記蓋部材を閉じることによって前記係止部に係合して前記蓋部材を全閉位置に位置決めする、前記係止部に対する係合を解除可能に前記口栓部材に取り付けられた開閉操作部材とを有し、
前記ロック手段は、ロック解除位置とロック位置との間で上下方向に回動可能に前記蓋部材に取り付けられた、下方に突出する突起を有するロック操作部材と、前記蓋部材を閉じた状態でロック位置に回動させた前記ロック操作部材の前記突起に係合して前記開閉操作部材による前記係止部に対する係合解除操作を不能とする、前記開閉操作部材に形成された係合部とを有していることを特徴とする飲料容器の栓体。
【請求項２】
前記口栓部材には、上方に突出した筒状の口部が形成されており、
前記蓋部材には、閉じたときに前記口部の開口端を閉塞するパッキンが設けられている請求項１に記載の飲料容器の栓体。